【手続補正書】
【提出日】平成18年11月13日(2006.11.13)
【手続補正１】
【補正対象書類名】特許請求の範囲
【補正対象項目名】全文
【補正方法】変更
【補正の内容】
【特許請求の範囲】
【請求項１】
被写体の輝度に応じて発光装置の発光の有無を判定する発光判定手段と、
前記発光装置による発光を受けた被写体の撮像画像を基に、前記撮像画像内における予め定められた形状が占める領域を検出する領域検出手段と、
前記領域検出手段により検出された領域における情報を基に、保存を目的とした撮像画像を得るための撮像動作の制御を行う制御手段と、
を有することを特徴とする撮像装置。
【請求項２】
本発光に先立って行われるプリ発光を伴って行われる撮像により得られる撮像画像を基に、該撮像画像内における予め定められた形状が占める領域を検出する領域検出手段と、
前記領域検出手段により検出された領域に応じて、前記撮像画像内に発光装置の調光領域を設定する調光領域設定手段と、
前記調光領域における前記プリ発光を伴って行われる撮像時の測光値に応じて、演算により本発光量を求める発光量演算手段と、
前記発光量演算手段により求められた前記本発光量に基づいて前記発光装置を制御して撮影を行うように制御する制御手段と、
を有することを特徴とする撮像装置。
【請求項３】
前記予め定められた形状は、人物の顔の形状であることを特徴とする請求項１または２に記載の撮像装置。
【請求項４】
被写体との距離を測定する測距手段を更に有し、前記調光領域設定手段は前記測距手段により測定された前記距離と、前記領域検出手段により検出された前記領域とに応じて前記調光領域を設定することを特徴とする請求項２に記載の撮像装置。
【請求項５】
前記プリ発光時の照射光量を、少なくとも前記測距手段により測定された前記距離と、設定された絞りと、撮像素子の感度のうちのいずれかに基づいて調整する手段を更に有することを特徴とする請求項４に記載の撮像装置。
【請求項６】
前記発光量演算手段は、前記調整された前記調光領域における前記プリ発光による平均輝度を求め、該平均輝度に基づいて前記本発光量を求めることを特徴とする請求項２に記載の撮像装置。
【請求項７】
前記発光量演算手段は、前記領域検出手段により検出された領域が複数存在するとき、前記プリ発光による各領域での平均輝度を求め、前記平均輝度から前記複数の領域における輝度の平均値を求め、該平均値に基づき本発光量を求めることを特徴とする請求項２に記載の撮像装置。
【請求項８】
前記調光領域設定手段は、前記測距手段により測定された前記距離に応じて設定した領域と、前記領域検出手段により検出された領域とが一致しないと判定すると、前記測距手段により測定された前記距離に応じて設定された領域を前記領域検出手段により検出された領域に合わせるように調整して調光領域とすることを特徴とする請求項４に記載の撮像装置。
【請求項９】
前記測距手段は、前記距離をレンズのフォーカシング位置に基づいて決定することを特徴とする請求項４，５または８に記載の撮像装置。
【請求項１０】
被写体の輝度に応じて発光装置の発光の有無を判定する発光判定工程と、
前記発光装置による発光を受けた被写体の撮像画像を基に、前記撮像画像内における予め定められた形状が占める領域を検出する領域検出工程と、
前記領域検出工程により検出された前記領域における情報を基に、保存を目的とした撮像画像を得るための撮像動作の制御を行う制御工程と、
を有することを特徴とする撮像装置の制御方法。
【請求項１１】
本発光に先立って行われるプリ発光を伴って行われる撮像により得られる撮像画像を基に、該撮像画像内における予め定められた形状が占める領域を検出する領域検出工程と、
前記領域検出工程により検出された領域に応じて、前記撮像画像内に発光装置の調光領域を設定する調光領域設定工程と、
前記調光領域における前記プリ発光を伴って行われる撮像時の測光値に応じて演算により本発光量を求める発光量演算工程と、
前記発光量演算工程により求めた前記本発光量に基づいて前記発光装置を制御して撮影を行うように制御する制御工程と、
を有することを特徴とする撮像装置の制御方法。
【請求項１２】
前記予め定められた形状は、人物の顔の形状であることを特徴とする、請求項１０または１１に記載の撮像装置の制御方法。
【請求項１３】
被写体との距離を測定する測距工程を更に有し、前記調光領域設定工程は前記測距工程により測定された前記距離と、前記領域検出工程により検出された領域に応じて調光領域を設定することを特徴とする請求項１１に記載の撮像装置の制御方法。
【請求項１４】
前記プリ発光時の照射光量を、少なくとも前記測距工程により測定された前記距離と、設定された絞りと、撮像素子の感度のうちのいずれかに基づいて調整する工程を更に有することを特徴とする請求項１３に記載の撮像装置の制御方法。
【請求項１５】
前記発光量演算工程は、前記調整された前記調光領域における前記プリ発光による平均輝度を求め、該平均輝度に基づいて前記本発光量を求めることを特徴とする請求項１１に記載の撮像装置の制御方法。
【請求項１６】
前記発光量演算工程は、前記領域検出工程により検出された領域が複数存在するとき、前記プリ発光による各領域での平均輝度を求め、該平均輝度から前記複数の領域における輝度の平均値を求め、該平均値に基づき本発光量を求めることを特徴とする請求項１１に記載の撮像装置の制御方法。
【請求項１７】
前記調光領域設定工程は、前記測距手段により測定された前記距離に応じて設定した領域と、前記領域検出工程により検出された領域とが一致しないと判定すると、前記測距工程により測定された前記距離に応じて設定された領域を前記領域検出工程により検出された領域に合わせるように調整して調光領域とすることを特徴とする請求項１３に記載の撮像装置の制御方法。
【請求項１８】
前記測距工程は、前記距離をレンズのフォーカシング位置に基づいて決定することを特徴とする請求項１３，１４または１７に記載の撮像装置の制御方法。
【請求項１９】
請求項１０又は１１に記載の制御方法を撮像装置に実行させることを特徴とするプログラム。
【請求項２０】
請求項１９に記載のプログラムを格納したことを特徴とするコンピュータにより読み取り可能な記憶媒体。
【手続補正２】
【補正対象書類名】明細書
【補正対象項目名】０００２
【補正方法】変更
【補正の内容】
【０００２】
従来、固体メモリ素子を有するメモリカードを記憶媒体として、静止画像や動画像を記録し、またその記憶媒体に記憶されている画像データを再生できる電子カメラ等の画像処理装置が市販されており、カラー液晶パネル等の電子ファインダを備える電子カメラも販売されている。
【手続補正３】
【補正対象書類名】明細書
【補正対象項目名】００１３
【補正方法】変更
【補正の内容】
【００１３】
本発明の撮像装置は以下のような構成を備える。即ち、
被写体の輝度に応じて発光装置の発光の有無を判定する発光判定手段と、
前記発光装置による発光を受けた被写体の撮像画像を基に、前記撮像画像内における予め定められた形状が占める領域を検出する領域検出手段と、
前記領域検出手段により検出された領域における情報を基に、保存を目的とした撮像画像を得るための撮像動作の制御を行う制御手段とを有することを特徴とする。
また本発明の撮像装置は以下のような構成を備える。即ち、
本発光に先立って行われるプリ発光を伴って行われる撮像により得られる撮像画像を基に、該撮像画像内における予め定められた形状が占める領域を検出する領域検出手段と、
前記領域検出手段により検出された領域に応じて、前記撮像画像内に発光装置の調光領域を設定する調光領域設定手段と、
前記調光領域における前記プリ発光を伴って行われる撮像時の測光値に応じて、演算により本発光量を求める発光量演算手段と、
前記発光量演算手段により求められた前記本発光量に基づいて前記発光装置を制御して撮影を行うように制御する制御手段とを有することを特徴とする。
【手続補正４】
【補正対象書類名】明細書
【補正対象項目名】００１４
【補正方法】変更
【補正の内容】
【００１４】
また本発明の撮像装置の制御方法は以下のような工程を備える。即ち、
被写体の輝度に応じて発光装置の発光の有無を判定する発光判定工程と、
前記発光装置による発光を受けた被写体の撮像画像を基に、前記撮像画像内における予め定められた形状が占める領域を検出する領域検出工程と、
前記領域検出工程により検出された前記領域における情報を基に、保存を目的とした撮像画像を得るための撮像動作の制御を行う制御工程とを有することを特徴とする。
また本発明の撮像装置の制御方法は以下のような工程を備える。即ち、
本発光に先立って行われるプリ発光を伴って行われる撮像により得られる撮像画像を基に、該撮像画像内における予め定められた形状が占める領域を検出する領域検出工程と、
前記領域検出工程により検出された領域に応じて、前記撮像画像内に発光装置の調光領域を設定する調光領域設定工程と、
前記調光領域における前記プリ発光を伴って行われる撮像時の測光値に応じて演算により本発光量を求める発光量演算工程と、
前記発光量演算工程により求めた前記本発光量に基づいて前記発光装置を制御して撮影を行うように制御する制御工程とを有することを特徴とする。
【手続補正５】
【補正対象書類名】明細書
【補正対象項目名】００２５
【補正方法】変更
【補正の内容】
【００２５】
モードダイアルスイッチ６０は、電源オフ、自動撮影モード、撮影モード、パノラマ撮影モード、再生モード、マルチ画面再生及び消去モード、ＰＣ接続モード等の各機能モードを切り替え設定することができる。シャッタスイッチ（ＳＷ１）６２は、不図示のシャッタボタンの操作途中でオンとなり、ＡＦ（オートフォーカス）処理、ＡＥ（自動露出）処理、ＡＷＢ（オートホワイトバランス）処理等の動作開始を指示する。シャッタスイッチ（ＳＷ２）６４は、不図示のシャッタボタンの操作完了でオンとなり、ストロボ撮影モードの場合は、ストロボユニット４８の発光制御、撮像素子１４から読み出した信号をＡ／Ｄ変換器１６、メモリ制御部２２を介してメモリ３０に画像データとして書き込む露光処理、画像処理部２０やメモリ制御部２２での演算を用いた現像処理、メモリ３０から画像データを読み出し、圧縮／伸長部３２で圧縮を行い、記憶媒体２００或いは２１０に画像データを書き込む記録処理という一連の処理の動作開始を指示する。画像表示ＯＮ／ＯＦＦスイッチ６６は、画像表示部２８への画像表示のＯＮ／ＯＦＦを設定することができる。この機能により、光学ファインダ１０４を用いて撮影を行う際に、ＴＦＴ，ＬＣＤ等からなる画像表示部２８への電流供給を遮断することにより、省電力を図ることが可能となる。クイックレビューＯＮ／ＯＦＦスイッチ６８は、撮影直後に、その撮影した画像データを自動再生するクイックレビュー機能を設定する。尚、本実施の形態では、特に画像表示部２８をオフにした場合におけるクイックレビュー機能を設定する機能を備えるものとする。操作部７０は、各種ボタンやタッチパネル等を有し、これらスイッチやボタンには、メニューボタン、セットボタン、マクロボタン、マルチ画面再生改ページボタン、ストロボ設定ボタン、単写/連写/セルフタイマ切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【手続補正６】
【補正対象書類名】明細書
【補正対象項目名】００２７
【補正方法】変更
【補正の内容】
【００２７】
９０及び９４は、メモリカードやハードディスク等の記憶媒体とのインターフェース、９２及び９６はメモリカードやハードディスク等の記憶媒体と接続を行うコネクタである。記憶媒体着脱検知部９８は、コネクタ９２及び或いは９６に記憶媒体２００或いは２１０が装着されているか否かを検知する。
【手続補正７】
【補正対象書類名】明細書
【補正対象項目名】００３０
【補正方法】変更
【補正の内容】
【００３０】
絞り１０２は、シャッタ１２との組み合わせで撮像素子１４への露光量を決定している。光学ファインダ１０４は、画像表示部２８による電子ファインダ機能を使用すること無しに、光学ファインダのみを用いて撮影を行うことが可能である。また、この光学ファインダ１０４には、表示部５４の一部の機能、例えば、合焦表示、手振れ警告表示、ストロボ充電表示、シャッタスピード表示、絞り値表示、露出補正表示などが設置されている。通信部１１０は、ＲＳ２３２ＣやＵＳＢ，ＩＥＥＥ１３９４，Ｐ１２８４，ＳＣＳＩ、モデム、ＬＡＮ、無線通信、等の各種通信機能を有する。アンテナ（コネクタ）１１２は、通信部１１０により画像処理装置１００を他の機器と接続するもので、有線による接続の場合はコネクタ、無線通信の場合はアンテナである。記憶媒体２００は、メモリカードやハードディスク等の記憶媒体である。この記憶媒体２００は、半導体メモリや磁気ディスク等から構成される記憶部２０２、画像処理装置１００とのインターフェース２０４、画像処理装置１００と接続を行うコネクタ２０６を備えている。また記憶媒体２１０はメモリカードやハードディスク等の記憶媒体で、この記憶媒体２１０も半導体メモリや磁気ディスク等から構成される記憶部２１２、画像処理装置１００とのインターフェース２１４、画像処理装置１００と接続を行うコネクタ２１６を備えている。
【手続補正８】
【補正対象書類名】明細書
【補正対象項目名】００５５
【補正方法】変更
【補正の内容】
【００５５】
ステップＳ１３４の記録処理が終了した後、ステップＳ１３５で、シャッタスイッチ（ＳＷ２）６４が押された状態かどうかを調べ、そうであればステップＳ１３６に進み、システム制御部５０の内部メモリ或いはメモリ５２に記憶される連写フラグ９０３の状態を判定する。ここで連写フラグ９０３がオンであれば、連続して撮影を行うためにステップＳ１２９に進み、次の映像の撮影を行う。ステップＳ１３６で、連写フラグ９０３がオンでなければステップＳ１３７に進み、シャッタスイッチ（ＳＷ２）６４が放されるまでステップＳ１３５、Ｓ１３６の処理を繰り返す。
【手続補正９】
【補正対象書類名】明細書
【補正対象項目名】００５７
【補正方法】変更
【補正の内容】
【００５７】
こうしてステップＳ１３４の記録処理の後、直ぐにシャッタスイッチ（ＳＷ２）６４がオフされた場合、或いは、ステップＳ１３４の記録処理の後、シャッタスイッチ（ＳＷ２）を押し続けてクイックレビュー表示を継続して撮影画像の確認を行った後にシャッタスイッチ（ＳＷ２）をオフにした場合はステップＳ１３５からステップＳ１３７に進み、所定のミニマムレビュー時間が経過するのを待ってステップＳ１３８に進む。ステップＳ１３８では、画像表示フラグ９０２がオンかどうかを調べ、オンであればステップＳ１３９に進み、画像表示部２８の表示状態をスルー表示状態に設定してステップＳ１４１に進む。これにより、画像表示部２８でのクイックレビュー表示によって撮影画像を確認した後に、次の撮影のために撮像した画像データを逐次表示するスルー表示状態にすることが出来る。またステップＳ１３８で、画像表示フラグ９０２がオフであればステップＳ１４０に進み、画像表示部２８の画像表示をオフ状態に設定してステップＳ１４１に進む。これにより、画像表示部２８でのクイックレビュー表示によって撮影画像を確認した後に、省電力のために画像表示部２８の機能を停止して、電力消費量の大きい画像表示部２８やＤ／Ａ変換器２６等の消費電力を削減することが可能となる。
【手続補正１０】
【補正対象書類名】明細書
【補正対象項目名】００６１
【補正方法】変更
【補正の内容】
【００６１】
ステップＳ２０１における画像処理部２０での演算結果を用いて、ステップＳ２０２で露出（ＡＥ）が適正と判断されないとステップＳ２０３に進み、絞り制御部４６及び、撮像素子１４の電子シャッタの組み合わせでＡＥ制御を行う。このＡＥ制御で得られた測定データ９０５（図９）を用いて、ステップＳ２０４で、ストロボが必要か否かを判断し、ストロボが必要であればステップＳ２０５に進み、ストロボフラグ９０４をセットし、ストロボ４８を充電してステップＳ２０１に進む。